(57)【要約】【課題】  装置全体をコンパクト化して安価にすると共に、容易に任意の吊り下げ位置へ変更可能な点吊り装置を提供する。【解決手段】  長尺状の本体３と、この本体３の基端側に設けた基台４と、この基台４の側面に設けた舞台天井面走行用の車輪１１と、上記基台４上に配置した巻取りドラム５及びこの巻取りドラム５を駆動するブレーキ付きモータ６と、上記本体３の先端側に設けた吊りワイヤ７案内用の案内部材８とを備え、上記巻取りドラム５に巻き回された吊りワイヤ７が、ブレーキ付きモータ６の作動によって上記案内部材８を介して舞台の床面側Ｓへ繰り出され又は巻き取られるようにした。【選択図】  図１
2008200391.tif 000002
【特許請求の範囲】
【請求項１】
長尺状の本体と、この本体の基端側に設けた基台と、この基台の側面又は上記本体の側面に設けた舞台天井面走行用の走行部材と、上記基台上に配置した巻取りドラム及びこの巻取りドラムを駆動する駆動手段と、上記本体の先端側に設けた吊りワイヤ案内用の案内部材とを備え、上記巻取りドラムに巻き回された吊りワイヤが、駆動手段の作動によって上記案内部材を介して舞台の床面側へ繰り出され又は巻き取られるようにしたことを特徴とする点吊り装置。
【請求項２】
上記走行部材は上記基台の側面に回動可能に軸支された車輪であって、その巾が舞台天井面を構成する簀の子の溝巾よりも大きく設定されている請求項１記載の点吊り装置。
【請求項３】
上記本体の基端部及び先端部には、夫々前側ハンドル及び後側ハンドルが設けられている請求項１記載の点吊り装置。
【請求項４】
上記案内部材は本端の先端に設けた２枚の支持板と、この支持板間に回動可能に軸支されたシーブである請求項１記載の点吊り装置。
【請求項５】
上記基台側面及び本体の先端下面には、夫々基端側固定部材及び先端側固定部材が設けられ、これら固定部材の作動により点吊り装置を上記舞台天井面に対して位置決め固定する請求項１記載の点吊り装置。
【発明の詳細な説明】
【技術分野】
【０００１】
本発明は、劇場やホール、アリーナ等の舞台天井に設置される点吊り装置に関するものである。
【背景技術】
【０００２】
劇場やホール、アリーナ等の舞台天井には、フックにマイクや照明器具等の吊り物を吊り下げ、そのフックを昇降させることで上記吊り物の昇降位置を調整する点吊り装置が配置されている。
【０００３】
この点吊り装置は、公演種目に応じて吊り物の吊り下げ位置や、昇降位置を変更する必要があり、そのための機構を備えたものとしては、特許文献１に示すものを例示することができる。
【０００４】
この点吊り装置は、天井の下方にレールを架設し、このレールに走行ブロックを移動自在に設けると共に、この走行ブロックに回動自在に設けられた滑車にワイヤを巻き掛け、このワイヤを天井上面に設けたモータで巻き取り又は繰り出しすることで、上記ワイヤに設けたフックを昇降可能としている。
【０００５】
この構成によれば、フックに吊り物を吊らない状態で、手動により上記走行ブロックを任意の吊り下げ位置に移動可能とすると共に、上記モータによるワイヤの巻き取り又は繰り出しによって、フックに吊り下げた上記吊り物の昇降位置を調整できる。
【特許文献１】特開２００３‐１９３７０号公報（図１〜図４参照）
【発明の開示】
【発明が解決しようとする課題】
【０００６】
上記特許文献１に示す点吊り装置は、天井の下方にレールを架設するので、天井上面はモータのみとなって人の歩行を可能とする等、有効に利用できる反面、以下に示す問題点がある。
【０００７】
即ち、吊り下げ位置の変更はレールに沿ってのみ可能となるため、任意の吊り下げ位置への変更を可能とするには、上記レールを長く設定しておく必要があり、その分、装置全体が大掛かりなものとなってコストが嵩む。
【０００８】
又、この点吊り装置は、天井の上方にモータを設け、下方にレールを設けているので、上記天井を挟んだ上下部に構成部材が点在して配置されることになり、装置全体としては大型化し、やはりコストが嵩む。
【０００９】
そこで、本発明の目的は、装置全体をコンパクト化して安価にすると共に、容易に任意の吊り下げ位置へ変更可能な点吊り装置を提供することである。
【課題を解決するための手段】
【００１０】
上記の目的を達成するため、本発明は、長尺状の本体と、この本体の基端側に設けた基台と、この基台の側面又は上記本体の側面に設けた舞台天井面走行用の走行部材と、上記基台上に配置した巻取りドラム及びこの巻取りドラムを駆動する駆動手段と、上記本体の先端側に設けた吊りワイヤ案内用の案内部材とを備え、上記巻取りドラムに巻き回された吊りワイヤが、駆動手段の作動によって上記案内部材を介して舞台の床面側へ繰り出され又は巻き取られるようにしたことを特徴とするものである。
【発明の効果】
【００１１】
本発明の点吊り装置は、基台の側面又は本体の側面に走行部材を設けると共に、基台上に吊りワイヤを巻き回する巻取りドラムと、この巻取りドラムを駆動させる駆動手段とを設けている。
【００１２】
従って、従来例で示した装置に比較し、装置全体がコンパクトになって、安価に製造可能となると共に、単独で簡単に任意の吊り下げ位置へ移動できるので、使い勝手も非常に良い。
【００１３】
又、上記巻取りドラム及び駆動手段を基台の上面に露出するように設けたので、これらのメンテナンスを容易に行なうことができる。
【発明を実施するための最良の形態】
【００１４】
以下に、本発明を劇場の舞台天井に設置される点吊り装置に具体化した一実施の形態を図に基づいて説明する。
【００１５】
図１および図２に示すように、本実施の形態の点吊り装置１は、長尺状の本体３と、この本体３の基端（図１における右端を言う）に設けた基台４と、この基台４の側面に設けた舞台天井面走行用の走行部材と、上記基台４上に配置した巻取りドラム５及びこの巻取りドラム５を駆動する駆動手段と、上記本体３の先端（図１における左端を言う）に設けた吊りワイヤ７案内用の案内部材８とを備え、上記巻取りドラム５に巻き回された吊りワイヤ７が、駆動手段の作動によって上記案内部材８を介して舞台の床面側Ｓへ繰り出され又は巻き取られるようになっている。
【００１６】
以下、更に詳述すると、上記長尺状の本体３は中空四角柱状に形成されており、その基端部上面には平板状をなす上記基台４が溶接等により取付固定されている。
【００１７】
上記基台４の両側面には板状をなす軸受け部材１０が下方に延設されており、この軸受け部材１０には上記走行部材としての車輪１１が回動可能に軸支されている。
【００１８】
上記車輪１１は、図４に示すように、その車輪１１の巾Ｈが上記舞台天井面としてのグレーチングタイプの簀の子１２の溝巾ｈよりも大きく設定されており、点吊り装置１の移動時に簀の子１２の溝に車輪１１が嵌り込まないようになっている。
【００１９】
上記基台４の上面には上記巻取りドラム５と、この巻取りドラム５を駆動させるための駆動手段としてのブレーキ付きモータ６が同軸上に配設されており、上記基台４又は、この基台４とは別に設けられた図示しない制御コントローラからの指示によって上記巻取りドラム５を駆動させ、この巻取りドラム５に巻回された吊りワイヤ７の繰り出し又は巻き取り作業を行なうようになっている。
【００２０】
また、上記基台４の基端には上記巻取りドラム５及びブレーキ付きモータ６よりも上方へ突出する保護板１４が取付けられており、この保護板１４の基端面（図１における左側面を言う）には後側ハンドル１５が設けられている。
【００２１】
従って、この後側ハンドル１５を握れば、点吊り装置１を容易に移動できるようになっている。
【００２２】
上記軸受け部材１０の車輪１１よりも先端側には基端側固定部材１７が取付けられている。
【００２３】
この基端側固定部材１７は、上端に操作レバー１８ａ、下端に係止部１８ｂを備えた案内棒１８と、この案内棒１８が挿入される取付部材１９とから構成されており、この取付部材１９が上記軸受け部材１０にボルト及びナット等（符示せず）によって固定されている。
【００２４】
上記案内棒１８は操作レバー１８ａが図２の状態では、簀の子１２の下面（舞台側面を言う）１２ａに上記係止部１８ｂが係止された作動状態（図３の左側の案内棒１８参照）としての係止位置となり、図２の矢印Ｘ方向へ回動させると上記係止を解除する係止解除位置（図３の右側の案内棒１８参照）となるようにこれら二位置間を回動可能となっている。
【００２５】
又、上記取付部材１９にはロックレバー１９ａが回動可能に取付けられており、図２の状態では、上記案内棒１８を上下動不能に位置決め固定する位置決め位置となると共に、図２における矢印Ｙ方向へロックレバー１９ａを回動操作させると、上記案内棒１８を上下動可能とする移動可能位置（図３の右側のロックレバー１９ａ参照）となるようになっている。
【００２６】
従って、基端側固定部材１７は、上記ロックレバー１９ａを上記矢印Ｙ方向へ回動操作させて上記移動可能位置として案内棒１８を下降させる（図３における右側の基端側固定部材１７参照）と共に、上記操作レバー１８を上記係止位置へ回動操作し、更に上記ロックレバー１９ａを位置決め位置に戻す（図３における左側の基端側固定部材１７参照）ことで、上記係止部１８ａが上記簀の子１２の下面１２ａに係止され、上記吊りワイヤ７の繰り出し又は巻き取り時に本体３が上方に浮き上がるのを防止すると共に、後述する係合部材２７の作用と相俟って点吊り装置１自体を位置決め固定するようになっている。
【００２７】
上記本体３の先端上面には上記案内部材８がボルト及びナット（符示なし）により取付固定されている。この案内部材８は、図３に示すように、Ｌ字状をなす二枚の支持板２１と、これら支持板２１間に回動可能に軸支されたシーブ２２とから構成され、上記巻取りドラム５から導き出された吊りワイヤ７がこのシーブ２２を介して上記舞台の床面側Ｓへ案内されるようになっている。
【００２８】
又、上記シーブ２２よりも上部となる支持板２１間には係止部材２３が回動可能に軸支されている。
【００２９】
この係止部材２３は、図３に示すように、基端が一方の支持板２１に回動可能に軸支された係止棒２３ａと、この係止棒２３ａの先端側に螺合されたナット２３ｂとから構成されている。
【００３０】
そして、この係止棒２３ａを倒伏方向（図３に示す）へ回動させて他方の支持板２１に切欠き形成された係止凹部２１ｃに嵌め込み、上記ナット２３ｂを締め込むことで上記係止部材２３を支持板２１間に掛け渡し、上記吊りワイヤ７の繰り出し又は巻き取り時にこの吊りワイヤ７がシーブ２２から外れないようになっている。
【００３１】
図１および図２に示すように、上記支持板２１の下端部には先端側へ突出するコの字状をなす前側ハンドル２５が取付固定されており、この前側ハンドル２５を握っても点吊り装置１を容易に移動できるようになっている。
【００３２】
上記本体３の先端下面には、先端側固定部材としての係合部材２７が取付固定されている。
【００３３】
上記係合部材２７は、本体３下面に取付固定された取付部２８と、この取付部２８を挟むようにボルト及びナット（符示せず）で取付固定された二枚の係合板２９とから構成されており、これら係合板２９の下端に設けた係合爪２９ａが上記簀の子１２の側面１２ｂに係合されることで作動状態となり、上記基端側固定部材１７の作用と相俟って上記点吊り装置１を位置決め固定するようになっている。
【００３４】
以上のように構成された点吊り装置の作用を説明すると、先ず、不使用状態（基端側及び先端側固定部材が否作動状態になっている）の点吊り装置１を、上記本体３の基端と先端とに設けられた前側ハンドル２５及び後側ハンドル１５のいずれか又は両方を握って手動操作により所定の吊り下げ位置へ移動させる。
【００３５】
この状態で、上記先端側固定部材と、基端側固定部材１７とを作動させる。
【００３６】
即ち、先端側固定部材では、上記係合板２９の下端に設けた係合爪２９ａを上記簀の子１２の側面１２ｂに係合する。
【００３７】
次いで、基端側固定部材１７では、上記ロックレバー１９ａを図２の矢印Ｙ方向へ回動操作させて上記移動可能位置とし、案内棒１８を下降させると共に、上記操作レバー１８ａを上記係止位置へ回動操作し、その後、上記ロックレバー１９ａを元の位置決め位置に戻す。
【００３８】
これにより、図１、３に示すように、上記係止部１８ｂが上記簀の子１２の下面１２ａに係止され、上記吊りワイヤ７の繰り出し又は巻き取り時に本体３が上方に浮き上がるのが防止されると共に、上記先端側固定部材の係合爪２９ａの作用と相俟って上記点吊り装置１を位置決め固定する。
【００３９】
その後、この状態の点吊り装置１において、図１に示すように、基台４とは別に設けられた図示しない制御コントローラを使用して上記ブレーキ付きモータ６を駆動させ、巻取りドラム５に巻回された吊りワイヤ７を舞台の床面側Ｓへの繰り出し、先端のフック３０に図示しない吊り物を吊り下げ、このフック３０を昇降させることで、上記吊り物の昇降位置を調整する。
【００４０】
その後、上記吊り物の吊り下げ位置を変更する場合や、使用が終了して点吊り装置自体１を天井面等に設けられた収納場所へ収納する場合には、上記した操作手順と逆の操作手順を行なえば良い。
【００４１】
このとき、点吊り装置１をその基台４の側面に設けた車輪１１で単独に移動可能とすると共に、この基台４の上面に吊りワイヤ７を巻き回する巻取りドラム５や、この巻取りドラム５を駆動させるブレーキ付きモータ６を設けたので、従来例で示した装置に比較し、装置全体をコンパクトにできる。
【００４２】
従って、点吊り装置１自体を安価に製造可能とすると共に、手動操作によって単独で簡単に任意の吊り下げ位置へ移動できるので、使い勝手も非常に良い。
【００４３】
又、上記基台４に巻取りドラム５を駆動させるブレーキ付きモータ６を設けたので、本体３側からは外部電源に接続する電源コードを出すだけで良く、装置全体としてコンパクトなものとすることができる。
【００４４】
又、上記ブレーキ付きモータ６や巻取りドラム５を基台４の上面に露出するように設けたので、これらのメンテナンスを容易に行なうことができる。
【００４５】
又、上記基台４の基端に設けた保護板１４の基端面と、案内部材８を構成する上記支持板２１の下端部に、それぞれ前側ハンドル２５及び後側ハンドル１５を設けたので、点吊り装置１を前後に移動させる際、どちら側からも容易にハンドル２５、１５を握って操作でき、大変、使い勝手が良い。
【００４６】
尚、本発明は、上記実施の形態に限定されるものではなく、例えば、以下のように変更して具体化することも可能である。
【００４７】
１）本実施の形態では、基台４の側面に設けた軸受け部材１０に上記走行部材としての車輪１１を設けたが、これに限定されるものではなく、本体３の側面に上記車輪１１を直接設けても良い。
【００４８】
２）本実施の形態では、走行部材として車輪１１を使用したが、これに限定されるものではなく、車輪１１以外のもの、例えば、クローラ等を用いても良く、更には、電動等で駆動する駆動手段を備えた走行部材としても良い。
【００４９】
３）本実施の形態では、基端側固定部材１７を上端に操作レバー１８ａ、下端に係止部１８ｂを備えた案内棒１８と、この案内棒１８が挿入される取付部材１９とから構成し、又、先端側固定部材を係合部材２７としたが、これらの構成に限定されるものではなく、点吊り装置１を簀の子１２に位置決め固定できる構成であれば、任意の構成を採用することができる。
【００５０】
４）本実施の形態では、上記保護板１４の基端面と、案内部材８を構成する上記支持板２１の下端部に、それぞれ前側ハンドル２５及び後側ハンドル１５を設けたが、これに限定されるものではなく、本体３の中間部上面や、側面に任意の形状のハンドルを設けても良い。
【図面の簡単な説明】
【００５１】
【図１】本発明の点吊り装置の一実施の形態を示す一部破断側面図である。
【図２】図１の点吊り装置を示す平面図である。
【図３】図１のＡ−Ａ線断面図である。
【図４】図１のＢ−Ｂ線断面図である。
【符号の説明】
【００５２】
１  点吊り装置
３  本体
４  基台
５  巻取りドラム
６  ブレーキ付きモータ（駆動手段）
７  吊りワイヤ
８  案内部材
１１  車輪（走行部材）
１２  簀の子（舞台天井）
１５  後側ハンドル
１７  基端側固定部材
２１  支持板（案内部材）
２２  シーブ
２５  前側ハンドル
２７  係合部材（先端側固定部材）
ｈ   簀の子の巾
Ｈ  車輪の巾
Ｓ  舞台の床面側
【図１】
2008200391.tif 000003
【図２】
2008200391.tif 000004
【図３】
2008200391.tif 000005
【図４】
2008200391.tif 000006